(57)【要約】【課題】反転した図柄、ゼッケン、ロゴなどのカラー画像を作成する必要がなく、また各種衣類との接着面積が大きくなり、接着強度が十分となり、熱転写したカラー画像が長期間の使用に耐えることができるマーク生地を提供する。【解決手段】生地１の表面にカラー画像２を形成し、この生地１の裏面に熱溶着剤層３を形成し、さらにこの熱溶着剤層３側に台紙４を貼り付けたものとしている。また、生地１の表面にカラー画像２を形成し、このカラー画像２の上にトップコート層５を形成し、前記生地１の裏面に熱溶着剤層３を形成し、さらにこの熱溶着剤層３側に台紙４を貼り付けたものとしてもよい。【選択図】　　　　図１
2004011054.tif 000002
【特許請求の範囲】
【請求項１】
生地（１）の表面にカラー画像（２）を形成し、この生地（１）の裏面に熱溶着剤層（３）を形成し、さらにこの熱溶着剤層（３）側に台紙（４）を貼り付けたものとしたことを特徴とするマーク生地。
【請求項２】
生地（１）の表面にカラー画像（２）を形成し、このカラー画像（２）の上にトップコート層（５）を形成し、前記生地（１）の裏面に熱溶着剤層（３）を形成し、さらにこの熱溶着剤層（３）側に台紙（４）を貼り付けたものとしたことを特徴とするマーク生地。
【請求項３】
請求項１記載のマーク生地を、カラー画像（２）の輪郭にそって切り抜いたことを特徴とするマーク生地。
【請求項４】
請求項２記載のマーク生地を、カラー画像（２）の輪郭にそって切り抜いたことを特徴とするマーク生地。
【発明の詳細な説明】
【０００１】
【発明の属する技術分野】
この発明は、普段着、ユニフォーム、スポーツウエアなどの各種衣類に図柄、ゼッケン、ロゴなどを付すのに使用されるマーク生地に関するものである。
【０００２】
【従来の技術】
従来、家庭用のアイロンなどを使用して上記各種衣類に図柄、ゼッケン、ロゴなどを簡単に熱転写することができる熱転写マークが存在する。
【０００３】
前記熱転写マークは、図１３に示したように、離型剤層１１を形成したコピー紙１２のその離型剤層１１側に、反転した図柄、ゼッケン、ロゴなどのカラー画像１３をカラーコピー機などで一旦、コピーし、その反転したカラー画像１３の上に熱溶着剤層１４を形成したものとしている。
【０００４】
そして、この熱転写マークのカラー画像１３を各種衣類に熱転写するには、図１４に示したように、熱溶着剤層１４側を衣類Ｃの表面に押し当て、コピー紙１２の上からアイロン掛けし、各種衣類Ｃの表面に熱溶着剤層１４を熱溶着すればよい。熱溶着した後は、図１５に示したように、コピー紙１２を剥がせば、衣類Ｃの表面に正転した本来のカラー画像１３が熱転写されたものとなる。
【０００５】
【発明が解決しようとする課題】
しかしながら、従来の熱転写マークでは、上記したようにコピー紙１２に反転した図柄、ゼッケン、ロゴなどのカラー画像１３をコピーしておかないと、各種衣類に熱転写した場合、正転した本来のカラー画像１３とならないので、その反転したカラー画像１３を作成するのが面倒であるという課題を有していた。
【０００６】
さらに、従来の熱転写シートでは、コピー紙１２にコピーした図柄、ゼッケン、ロゴなどのカラー画像１３のみが、各種衣類に熱転写されるので、そのデザインや書体などによって各種衣類との接着面積が小さくなる場合があり、接着強度が不十分となり、熱転写したカラー画像１３が長期間の使用に耐えることができないという課題を有していた。
【０００７】
そこで、この発明は、反転した図柄、ゼッケン、ロゴなどのカラー画像を作成する必要がなく、また各種衣類との接着面積が大きくなり、接着強度が十分となり、熱転写したカラー画像が長期間の使用に耐えることができるマーク生地を提供することを目的としてなされたものである。
【０００８】
【課題を解決するための手段】
そこで、この発明のマーク生地は、生地１の表面にカラー画像２を形成し、この生地１の裏面に熱溶着剤層３を形成し、さらにこの熱溶着剤層３側に台紙４を貼り付けたものとしている。
【０００９】
さらに、この発明のマーク生地は、生地１の表面にカラー画像２を形成し、このカラー画像２の上にトップコート層５を形成し、前記生地１の裏面に熱溶着剤層３を形成し、さらにこの熱溶着剤層３側に台紙４を貼り付けたものとしている。
【００１０】
そして、この発明のマーク生地は、前記構造のマーク生地をカラー画像２の輪郭にそって切り抜いたものとすることができる。
【００１１】
【発明の実施の形態】
以下、この発明のマーク生地の実施の形態を、図面に基づいて詳細に説明する。
【００１２】
図１は、この発明のマーク生地の第一実施形態の断面形状を示したものであり、生地１の表面にカラー画像２を形成し、この生地１の裏面に熱溶着剤層３を形成し、さらにこの熱溶着剤層３側に台紙４を貼り付けたものとしている。
【００１３】
図２は、この発明のマーク生地の第二実施形態の断面形状を示したものであり、生地１の表面にカラー画像２を形成し、このカラー画像２の上にトップコート層５を形成し、前記生地１の裏面に熱溶着剤層３を形成し、さらにこの熱溶着剤層３側に台紙４を貼り付けたものとしている。
【００１４】
そして、前記図１、２に示したこの発明のマーク生地は、図３、４に示した第三、四実施形態のように、カラー画像２の輪郭にそって切り抜いたものとすることができる。
【００１５】
前記生地１としては、織物地、編物地、不織布などとすることができ、例えば、ビロードなどの厚手の生地、シルクなどの薄手の生地であってもよい。さらに、前記生地１としては、金属光沢を有する生地にすることもできる。このような生地には、縦糸または横糸の一方を金属糸としたり、縦糸、横糸の両方を金属糸とした織物地からなるものがある。
【００１６】
前記カラー画像２は、静電式乾式複写機、パソコン用の熱溶融型プリンター、レーザープリンターなどによって形成されるものであり、例えば、人物、動物、植物、風景などの各種図柄、スキー、スケート、陸上競技などに使用されるゼッケン、商品名や会社名などのロゴとすることができる。
【００１７】
前記熱溶着剤層３を形成する熱溶着剤としては、通常、熱可塑性樹脂が使用されるが、生地１の表面から家庭用のアイロンを掛けることによって溶融し、各種衣類Ｃの表面に溶着するものであれば特に限定されることはない。
【００１８】
前記台紙４としては、静電式乾式複写機、熱溶融型プリンター、レーザープリンターにより、生地１の表面にカラー画像４を形成する場合に、皺がよらないように生地１に腰を付ける目的で使用されるものである。なお、この台紙４は、前記カラー画像２を形成した生地１を各種衣類Ｃの表面に溶着するときには、熱溶着剤層３から剥がされるものであるので、指の爪などによって容易に剥がせることができるもの、例えば、離型紙または粘着テープなどを用いるのが好ましい。
【００１９】
前記トップコート層５は、カラー画像２を被覆して、このカラー画像２の剥離や汚染などを防止するものであり、通常、透明、半透明の熱可塑性樹脂が使用されるが特に限定されることはない。
【００２０】
以上のように構成された第一、二実施形態のこの発明のマーク生地は、図５に示したように、台紙４から、カラー画像２を形成した生地１を剥がし、この生地１の熱溶着剤層３側を各種衣類Ｃの表面に当て、生地１の表面側からアイロン掛けすれば、図６〜８に示したように、各種衣類Ｃの表面に溶着させることができる。
【００２１】
したがって、前記第一、二実施形態のこの発明のマーク生地においては、従来の熱転写マークのようにコピーした画像である図柄、ゼッケン、ロゴなどカラー画像のみが、各種衣類に溶着して熱転写されるのではなく、これらカラー画像２を形成した生地１全体が、各種衣類Ｃに溶着されるので、各種衣類Ｃとの接着面積は大きくなる。
【００２２】
また、第三、四実施形態のこの発明のマーク生地は、図９に示したように、台紙４から、カラー画像２を形成した生地１を剥がし、この生地１の熱溶着剤層３側を各種衣類Ｃの表面に当て、生地１の表面側からアイロン掛けすれば、図１０〜１２に示したように、各種衣類Ｃの表面に溶着させることができる。
【００２３】
なお、この発明のマーク生地は、何れの実施形態においても、アイロン掛けに代え、熱プレス機を用いて熱プレスしてもよいことは言うまでもない。
【００２４】
【発明の効果】
この発明のマーク生地は、以上に述べたように構成されており、反転した図柄、ゼッケン、ロゴなどのカラー画像を作成する必要がなく、また各種衣類との接着面積が大きくなり、接着強度が十分となり、熱転写したカラー画像が長期間の使用に耐えることができるものとなった。
【図面の簡単な説明】
【図１】この発明のマーク生地の第一実施形態を示す断面図である。
【図２】この発明のマーク生地の第二実施形態を示す断面図である。
【図３】この発明のマーク生地の第三実施形態を示す断面図である。
【図４】この発明のマーク生地の第四実施形態を示す断面図である。
【図５】第一実施形態のこの発明のマーク生地の斜視図である。
【図６】第一実施形態のこの発明のマーク生地を熱転写した衣類の正面図である。
【図７】第一実施形態のこの発明のマーク生地を熱転写した衣類の断面図である。
【図８】第二実施形態のこの発明のマーク生地を熱転写した衣類の断面図である。
【図９】第三実施形態のこの発明のマーク生地の斜視図である。
【図１０】第三実施形態のこの発明のマーク生地を熱転写した衣類の正面図である。
【図１１】第三実施形態のこの発明のマーク生地を熱転写した衣類の断面図である。
【図１２】第四実施形態のこの発明のマーク生地を熱転写した衣類の断面図である。
【図１３】従来の熱転写マークの断面図である。
【図１４】従来の熱転写マークによりカラー画像を衣類へ熱転写する状態を示す説明図である。
【図１５】従来の熱転写マークによりカラー画像が衣類へ熱転写された状態を示す断面図である。
【符号の説明】
１　生地
２　カラー画像
３　熱溶着剤層
４　台紙
５　トップコート層
【図１】
2004011054.tif 000003
【図２】
2004011054.tif 000004
【図３】
2004011054.tif 000005
【図４】
2004011054.tif 000006
【図５】
2004011054.tif 000007
【図６】
2004011054.tif 000008
【図７】
2004011054.tif 000009
【図８】
2004011054.tif 000010
【図９】
2004011054.tif 000011
【図１０】
2004011054.tif 000012
【図１１】
2004011054.tif 000013
【図１２】
2004011054.tif 000014
【図１３】
2004011054.tif 000015
【図１４】
2004011054.tif 000016
【図１５】
2004011054.tif 000017